(57)【要約】【課題】  Ｐ型火災報知設備において、表示機を何台設置しても、火災時の部屋番号表示点数の設定を、１回、実行するだけで足り、火災時の部屋番号表示点数の設定が容易であるＰ型火災報知設備を提供することを目的とするものである。【解決手段】  Ｐ型火災報知設備において、火災時に表示する複数の部屋番号表示点数のうちのいずれかを選択し、この選択された部屋番号表示点数を設定する部屋番号表示点数設定スイッチを有するＰ型火災報知設備である。【選択図】  図３
2005284831.tif 000002
【特許請求の範囲】
【請求項１】
Ｐ型火災報知設備において、
火災時に部屋番号を表示する複数の部屋番号表示点数のうちのいずれかを選択し、この選択された部屋番号表示点数を設定する部屋番号表示点数設定スイッチを有することを特徴とするＰ型火災報知設備。
【請求項２】
請求項１において、
火災表示機は、火災発報した火災感知器が設置されている部屋の番号を示すデータである部屋番号データを、火災受信機から受信し、この受信した部屋番号データに基づいて、火災発報した火災感知器が設置されている部屋の番号を表示する部屋番号表示部を有することを特徴とするＰ型火災報知設備。
【請求項３】
請求項２において、
火災表示機は、上記火災受信機から受信した上記部屋番号データをメモリ記憶せずに、上記受信した部屋番号データに基づいて、火災発報した火災感知器が設置されている部屋の番号を表示することを特徴とするＰ型火災報知設備。
【発明の詳細な説明】
【技術分野】
【０００１】
本発明は、Ｐ型火災報知設備に関する。
【背景技術】
【０００２】
従来のＰ型火災報知設備における火災受信機と表示機とにおいて、火災時の部屋番号表示点数は、予めＲＯＭ等のメモリに定義されている（たとえは、特許文献１参照）。
【０００３】
ここで、「部屋番号表示点数」とは、部屋番号を部屋番号表示部に表示することができる最大点数である。
【０００４】
図５は、従来のＰ型火災報知設備ＰＳ１１における火災時の部屋番号表示点数の設定動作を示すフローチャートである。
【０００５】
従来のＰ型火災報知設備ＰＳ１１では、火災受信機について、火災時の部屋番号表示点数を設定するとともに、火災受信機についての設定とは別に、表示機についても、火災時の部屋番号表示点数を設定する。
【０００６】
まず、火災時の部屋番号表示点数を設定する対象を決め（Ｓ１０）、火災受信機について、火災時の部屋番号表示点数を設定する場合、火災受信機をＯＦＦし（Ｓ１１）、図示しない電源用ＬＥＤが消灯し、「２報設定」にするのか、「２０報設定」にするのかを選択する（Ｓ１２）。ステップＳ１２において、「２報設定」を選択する場合、火災時の部屋番号表示点数を、「２報設定」にする（Ｓ１３）。そして、火災受信機をＯＮし（Ｓ１４）、通常監視する（Ｓ１５）。この通常監視によって、図示しない火災受信機電源灯が緑点灯する。
【０００７】
ステップＳ１２において、「２０報設定」にする場合、火災時の部屋番号表示点数を、「２０報設定」にする（Ｓ１６）。そして、火災受信機をＯＮし（Ｓ１４）、通常監視する（Ｓ１５）。この通常監視によって、図示しない火災受信機の電源灯が緑点灯する。
【０００８】
一方、表示機について火災時の部屋番号表示点数を設定する場合（Ｓ１０）、複数の表示機のうちの１つの表示機（当該表示機）をＯＦＦし（Ｓ２１）、図示しない電源用ＬＥＤが消灯し、「２報設定」にするのか、「２０報設定」にするのかを選択する（Ｓ２２）。ステップＳ２２において、「２報設定」を選択する場合、火災時の部屋番号表示点数を、「２報設定」にする（Ｓ２３）。そして、当該表示機をＯＮし（Ｓ２４）、通常監視する（Ｓ１５）。この通常監視によって、図示しない表示機の電源灯が緑点灯する。
【０００９】
ステップＳ２２において、「２０報設定」を選択する場合、表示機における火災時の部屋番号表示点数を、「２０報設定」にする（Ｓ２６）。そして、当該表示機をＯＮし（Ｓ２４）、通常監視する（Ｓ１５）。この通常監視によって、図示しない表示機の電源灯が緑点灯する。
【００１０】
また、他の表示機について、表示機毎に、上記Ｓ２１〜Ｓ２４、Ｓ２６の動作を繰り返す。
【特許文献１】特願２００３−１０９１３６号公報
【発明の開示】
【発明が解決しようとする課題】
【００１１】
ところで、従来のＰ型火災報知設備において、火災受信機は、１台だけ設ければ足りるが、表示機は、必要に応じて、複数台設けられ、場合によっては、数十台設けられている。火災時の部屋番号表示点数の設定を、表示機の数だけ実行する必要があるので、火災時の部屋番号表示点数の設定を、数回または数十回、実行する必要があり、その設定が煩雑であるという問題がある。
【００１２】
また、従来の火災受信機は、防災センタのような建物に設置されているに対して、火災表示機は各現場（たとえば、建物各階フロアのエレベータの前）に設置されている。設置後、火災時の部屋番号表示点数の設定を変更する場合操作者は必ず現場で作業しなければならないので、その作業が煩雑であるという問題がある。
【００１３】
本発明は、Ｐ型火災報知設備において、表示機を何台設置しても、火災時の部屋番号表示点数の設定を、１回、受信機側で実行するだけで足り、火災時の部屋番号表示点数の設定が容易であるＰ型火災報知設備を提供することを目的とするものである。
【課題を解決するための手段】
【００１４】
本発明は、Ｐ型火災報知設備において、火災時に表示する複数の部屋番号表示点数のうちのいずれかを選択し、この選択された部屋番号表示点数を設定する部屋番号表示点数設定スイッチを有するＰ型火災報知設備である。
【発明の効果】
【００１５】
本発明によれば、Ｐ型火災報知設備において、表示機を何台設置しても、火災時の部屋番号表示点数の設定を、１回、受信機側で実行するだけで足り、火災時の部屋番号表示点数の設定が容易であるという効果を奏する。
【発明を実施するための最良の形態】
【００１６】
発明を実施するための最良の形態は、以下の実施例である。
【実施例１】
【００１７】
図１は、本発明の実施例１であるＰ型火災報知設備ＰＳ１を示す図である。
【００１８】
Ｐ型火災報知設備ＰＳ１では、１台の火災受信機ＲＥ１に、複数の火災感知器ＳＥが接続され、また、火災受信機ＲＥ１に火災表示機ＤＰ１が接続されている。
【００１９】
図１には、火災表示機が１台のみ記載されているが、実際には、火災表示機は、数台または数十台設置されている。
【００２０】
図２は、Ｐ型火災報知設備ＰＳ１をより詳細に示すブロック図である。
【００２１】
各火災感知器ＳＥは、火災受信機ＲＥ１から電源が供給され、煙濃度や周辺温度等の物理量を計測し、これによって、火災監視を行う。
【００２２】
火災受信機ＲＥ１は、電源部１１と、信号送信回路１２と、信号受信回路１３と、火災検出回路１４と、断線検出回路１５と、制御回路１６と、メイン制御部１７と、表示操作部１８と、メモリ１９と、部屋番号表示部２０と、部屋番号表示点数設定スイッチ２１とを有する。また、火災受信機ＲＥ１は、電源兼信号線が接続されるコモン端子Ｃと複数のライン端子Ｌ１〜Ｌｎとを備え、複数の火災感知器ＳＥが接続されている。
【００２３】
複数の火災感知器ＳＥのそれぞれに、固有の火災感知器アドレスが付与されている。なお、複数の火災感知器ＳＥの中には、火災感知器アドレスを有しないものもある。
【００２４】
電源兼信号線ＣとＬ１〜Ｌｎとの間で各回線が構成され、それぞれの端末部分に終端器が配置されている。そして、火災受信機ＲＥ１内のブロック構成のうち、回線毎に、信号送信回路１２と、信号受信回路１３と、火災検出回路１４と、断線検出回路１５と、制御回路１６とが配置されている。
【００２５】
火災表示機ＤＰ１には、メイン制御部３１と、部屋番号表示部３２と、表示操作部３３とが設けられている。
【００２６】
上記実施例において、表示操作部１８は、所定の火災感知器のアドレスと所定の部屋番号とを、火災受信機ＲＥ１の盤面から入力する手段である。また、表示操作部３３は、所定の部屋番号を順送りまたは逆送りを、表示機ＤＰ１の盤面から入力する手段である。
【００２７】
メモリ１９は、所定の火災感知器のアドレスと所定の部屋番号とを対応して格納する対応メモリである。
【００２８】
部屋番号表示点数設定スイッチ２１は、火災時に部屋番号を表示する第１の表示点数と、火災時に部屋番号を表示する表示点数であって上記第１の表示点数とは異なる第２の表示点数とのうちの一方を選択し、この選択された部屋番号表示点数を設定するスイッチである。
【００２９】
メイン制御部１７は、受信機ＲＥ１における上記入力手段を介して入力された所定の火災感知器のアドレスと、上記入力手段を介して入力された所定の部屋番号とを対応して、上記対応メモリ１９に書き込む書込手段であり、上記部屋番号表示点数設定スイッチ２１による部屋番号表示点数の入力を対応して、対応メモリ１９に書き込む書込手段である。
【００３０】
部屋番号表示部２０、３２は、火災発報した火災感知器ＳＥが設置されている部屋に対応する部屋番号を表示する。
【００３１】
また、部屋番号表示部２０、３２は、所定の部屋番号が設定された回線の感知器、つまりアドレスを有しない感知器が発報したときに、上記所定回線が設置されている部屋の部屋番号を表示する。
【００３２】
上記実施例の構成によれば、上記部屋番号表示点数設定スイッチ２１や、所定部屋番号表示点数を格納するメモリは、全て受信機ＲＥ１側に設定され、表示機ＤＰ１では、設定や表示内容を保持しないので、表示機ＤＰ１は、簡素でしかも安価になる。
【００３３】
部屋番号表示部２０には、図示しない左側表示部と、図示しない右側表示部と、図示しない１位スイッチと、図示しない１０位スイッチとが設けられ、１位スイッチと１０位スイッチとが、表示されている部屋番号をスクロールする例である。また、部屋番号表示部３２には、図示しない順送りスイッチＳＷ１、逆送りスイッチＳＷ２が設けられ、これらは、部屋番号をスクロールする例である。
【００３４】
なお、実施例１において、上記第１の表示点数は、２報固定であり、上記第２の表示点数は、２０報固定であるが、それぞれ、３報固定、３０報固定等、他の固定であってもよい。また、部屋番号表示点数設定スイッチ２１は、第１の表示点数と第２の表示点数のうちのいずれかを選択するのでなく、複数の表示点数のうちのいずれかを選択または点数を設定するようにしてもよい。
【００３５】
次に、実施例１の動作について説明する。
【００３６】
図３は、実施例１において、火災時の部屋番号表示点数の設定動作を示すフローチャートである。
【００３７】
なお、図３には、表示機として表示機ＤＰ１のみを示してあるが、表示機ＤＰ１の他に、複数の表示機が火災受信機ＲＥ１に接続され、これら複数の表示機の動作は、表示機ＤＰ１の動作と同じである。つまり、他の複数の表示機の動作は、表示機ＤＰ１の動作と同様である。
【００３８】
まず、火災受信機ＲＥ１をＯＦＦし、表示機ＤＰ１をＯＦＦする（Ｓ１）。なお、表示機ＤＰ１の電源は、火災受信機ＲＥ１から供給しているので、火災受信機ＲＥ１の電源をＯＦＦすると、表示機ＤＰ１の電源も自動的にＯＦＦされる。表示機ＤＰ１以外の表示機の電源もＯＦＦされる。
【００３９】
そして、火災時における部屋番号表示点数として、「２報設定」、「２０報設定」のうちのどちらを実行するかを決める（Ｓ２）。「２報設定」を設定する場合には、部屋番号表示点数設定スイッチ２１をＯＦＦし、これによって、火災時の部屋番号表示点数が「２報固定」に設定される（Ｓ３）。
【００４０】
その後、火災受信機ＲＥ１の電源をＯＮし、これに伴って、表示機ＤＰ１の電源がＯＮされる（Ｓ４）。表示機ＤＰ１以外の表示機の電源もＯＮされる。これによって、通常監視に入り（Ｓ５）、図示しない電源灯が緑点灯し、部屋番号表示点数の設定動作が終了する。
【００４１】
また、火災時における部屋番号表示点数として、「２０報設定」を設定する場合には（Ｓ２）、部屋番号表示点数設定スイッチをＯＮし、これによって、火災時の部屋番号表示点数が「２０報固定」に設定される（Ｓ６）。
【００４２】
その後、火災受信機ＲＥ１の電源をＯＮし、これに伴って、表示機ＤＰ１の電源がＯＮされる（Ｓ４）。表示機ＤＰ１以外の表示機の電源もＯＮされる。これによって、通常監視に入り（Ｓ５）、図示しない電源灯が緑点灯し、部屋番号表示点数の設定動作が終了する。
【００４３】
ここで、ステップ４において、火災受信機ＲＥ１と表示機ＤＰ１との電源がＯＮすると、火災受信機ＲＥ１は、部屋番号表示点数設定スイッチで選択された状態から選択された表示点数を認識し、そして、その選択された表示点数を表示機ＤＰ１に送出し、表示機ＤＰ１は、送出された表示点数を受信すると、その表示点数で設定されることによって、部屋番号表示点数の設定動作が完成する。
【００４４】
なお、「２報固定」は、部屋番号表示部２０に、図示しない左側表示部と図示しない右側表示部とのように、表示部を２つ設け、部屋番号を２つ、同時に表示する方法である。
【００４５】
この場合、火災受信機ＲＥ１の盤面に設けられている図示しないアドレス表示部に表示されているアドレス、または図示しない回線表示部に表示されている回線に対応している部屋番号が表示されていると、対応して表示されている部屋番号が点滅する。
【００４６】
「２０報固定」は、部屋番号表示部に、最大で２０報分の部屋番号を表示することができる。
【００４７】
次に、実施例１において、火災表示機ＤＰ１で、火災発報した場合に火災表示を順次送って表示するスクロールの動作について説明する。
【００４８】
図４は、実施例１において、火災表示機ＤＰ１の表示スクロールを説明する図である。
【００４９】
ここで、部屋番号表示点数として、「２０報固定」を設定し、火災発報が３報あり、それぞれの部屋番号（発報した火災感知器が設定されている部屋の部屋番号）については、１報目が「００１０１」、２報目が「００１０４」、３報目が「００２０３」、と仮定する。
【００５０】
なお、この部屋番号５桁のうち、上位３桁が階数を表し、たとえば「００１０１」の場合は１階であり、下位２桁がその階における番号を表し、たとえば「００１０１」の場合は１番の部屋である。
【００５１】
このように、火災表示機ＤＰ１が火災発報を３つ受信した状態で、部屋番号表示部３２は、その左側表示部３２１に、図４（１）に示すように、１報目の部屋番号「００１０１」を表示し、右側表示部３２２に、２報目の部屋番号「００１０４」を表示する。
【００５２】
ここで、表示操作部３３に設けられ、図示しない順送りスイッチＳＷ１（順送りのスクロールスイッチとして機能するスイッチ）を押すと、表示機ＤＰ１は、火災発報の後続データがあるか否かを、火災受信機ＲＥ１に問いかけ、その結果、図４（２）に示すように、２報目の部屋番号「００１０４」は、左側表示部３２１にシフトし、３報目の部屋番号「００２０３」は、右側表示部３２２に現われ、表示される。
【００５３】
そして、再度表示操作部３３に設けられている順送りスイッチＳＷ１を押すと、火災表示機ＤＰ１は、火災発報の後続データがあるか否かを火災受信機ＲＥ１に再度問いかけ、その結果、図４（３）に示すように、右側表示部３２２に表示されていた部屋番号「００２０３」が、左側表示部３２１に表示される。右側表示部３２２には、４報目がないので、ブランクになる。
【００５４】
そして、再度表示操作部３３に設けられている順送りスイッチＳＷ１を押すと、火災表示機ＤＰ１は、火災発報の後続データがあるか否かを火災受信機ＲＥ１に再度問いかけ、その結果、図４（４）に示すように、初報の１報目に戻り、左側表示部３２１には、１報目の部屋番号「００１０１」が表示され、右側表示部３２２には、２報目「００１０４」が、再び表示される。
【００５５】
また、表示操作部３３に設けられている順送りスイッチＳＷ１を押す代わりに、図示しない逆送りスイッチＳＷ２を押すと、逆送りの表示動作が行われる。また、上記の場合と同様に、火災表示機ＤＰ１は、火災受信機ＲＥ１に問いかけの結果に基づき、表示動作が行われる。
【００５６】
つまり、上記図４（１）に示すように、１報目の表示状態から、表示操作部３３に設けられている図示しない逆送りスイッチＳＷ２（逆送りのスクロールスイッチとして機能するスイッチ）を押すと、図４（３）に示す場合と同様に、最終の発報データである３報目の部屋番号が表示され、左側表示部３２１には、３報目の部屋番号「００２０３」が表示され、右側表示部３２２には、それが最終の発報データであることを示すように、ブランクを表示する。
【００５７】
そして、再度表示操作部３３に設けられている図示しない逆送りスイッチＳＷ２を押すと、図４（２）と同様に、左側表示部３２１に表示されていた３報目の部屋番号「００２０３」が、右側表示部３２２に表示されるとともに、左側表示部３２１には、２報目の部屋番号「００１０４」が表示される。
【００５８】
さらに、再度表示操作部３３に設けられている図示しない逆送りスイッチＳＷ２を押すと、図４（４）と同様に、左側表示部３２１には、１報目の部屋番号「００１０１」が表示されるとともに、右側表示部３２２には、２報目の部屋番号「００１０４」が表示される。
【００５９】
上記実施例によれば、Ｐ型火災報知設備において、火災受信機について、火災時の部屋番号表示点数を設定すれば、その火災受信機に接続されている表示機における火災時の部屋番号表示点数が自動的に設定されるので、表示機を何台設置しても、火災時の部屋番号表示点数の設定を、１回、実行するだけで足り、火災時の部屋番号表示点数の設定が容易である。
【００６０】
また、上記実施例によれば、表示機側の設定等を変更せずに、表示点数を変更することができ、また、これによって、システム全体の表示点数の整合を取ることができる。
【００６１】
さらに、上記実施例によれば、火災発報した火災感知器が設置されている部屋の番号を示すデータである部屋番号データを記憶するメモリを、表示機に設ける必要がないので、表示機の構成が簡素である。
【００６２】
なお、上記実施例では、火災受信機で選択した部屋番号表示点数を、表示機に送出し、表示機では、その送出された表示点数に設定されるが、このようにする代わりに、火災受信機から表示点数を表示機に送出せずに、すなわち、表示機側で表示点数を設定せずに、表示機が、火災受信機から送出される部屋番号をそのまま表示し、その表示された部屋番号の数が、表示点数であるとしてもよい。
【図面の簡単な説明】
【００６３】
【図１】本発明の実施例１であるＰ型火災報知設備ＰＳ１を示す図である。
【図２】Ｐ型火災報知設備ＰＳ１をより詳細に示すブロック図である。
【図３】実施例１において、火災時の部屋番号表示点数の設定動作を示すフローチャートである。
【図４】実施例１において、火災表示機ＤＰ１の表示スクロールの説明である。
【図５】従来のＰ型火災報知設備ＰＳ１１における火災時の部屋番号表示点数の設定動作を示すフローチャートである。
【符号の説明】
【００６４】
ＰＳ１…Ｐ型火災報知設備、
ＲＥ１…火災受信機、
ＤＰ１…火災表示機、
ＳＥ…火災感知器、
１７…メイン制御部、
１８…表示制御部、
１９…メモリ、
２０…部屋番号表示部、
３１…メイン制御部、
３２…部屋番号表示部、
３２１…左側表示部、
３２２…右側表示部。
【図１】
2005284831.tif 000003
【図２】
2005284831.tif 000004
【図３】
2005284831.tif 000005
【図４】
2005284831.tif 000006
【図５】
2005284831.tif 000007